(57)【要約】【課題】配線器具の設置向きを所望する方向へ変更することができ、その設置向きの変更に容易に対応することができる化粧プレート及び配線器具の配設装置を提供する。【解決手段】配線器具取付枠２３の底壁２４には一対の第１保持孔２７及び一対の第２保持孔２８が形成され、第２保持孔２８はほぼ平面十字状に形成され、縦長又は横長に延びる配線器具の前面側が通過可能になっている。第２保持孔２８に配線器具をその設置向きを９０度回転させて保持することができる。プレート本体３４には一対の第１通過孔３５及び一対の正方形状の第２通過孔３６が形成されている。第２通過孔３６に対応して、平面正方形状をなし、貫通孔４０が形成された枠体３９がその貫通孔４０の向きを配線器具の前面側の設置向きに対応させてプレート本体３４に取付けることができる。【選択図】      図２
2004289999.tif 000002
【特許請求の範囲】
【請求項１】
前面側が正面長方形状をなす配線器具の前面側が通過可能な大きさに設定されるとともに長方形状をなして前記配線器具を保持可能な第１保持孔と、前面側が正面長方形状をなす配線器具をその前面側の設置向きが正面縦長長方形状又は正面横長長方形状のどちらか一方に設置されるように配線器具の前面側の設置向きを９０度回転させて保持可能な第２保持孔とを備えた配線器具取付枠と、
前記配線器具取付枠に取付けられる化粧プレートと
よりなる配線器具の配設装置であって、
前記化粧プレートは、
前記配線器具の設置部周縁を覆うとともに、前記配線器具の前面側が通過可能な第１通過孔及び第２通過孔を備えるプレート本体と、
前記配線器具の前面側の外周縁に対応する長方形状をなすとともに同配線器具の前面側が臨み込む貫通孔を備え、その貫通孔の長さ方向が配線器具の前面側の設置向きと異なる場合、貫通孔の長さ方向が同配線器具の前面側の設置向きに対応するように９０度回転されてプレート本体の前記第２通過孔にそれぞれ対応して着脱可能に取付けられる枠体とよりなり、
前記配線器具がその前面側の設置向きが９０度回転されて前記第２保持孔に保持された場合にも、前記第２通過孔は前記配線器具の前面側が通過可能である配線器具の配設装置。
【請求項２】
前記配線器具取付枠は、被設置体に設置され、内部に配線が配設される配線ダクトに取付けられる請求項１に記載の配線器具の配設装置。
【請求項３】
前記配線器具取付枠は、一面に開口を有する有底箱状をなし、被設置体に設置されて内部に配線が配設される配線用ボックスの開口側に取付けられる請求項１に記載の配線器具の配設装置。
【請求項４】
前記プレート本体に取付けられた枠体の未使用の貫通孔を閉塞する閉塞蓋を、枠体に対して着脱可能に設けた請求項１〜請求項３のいずれかに記載の配線器具の配設装置。
【請求項５】
前記第２通過孔は正方形状に形成されている請求項１〜請求項４のいずれかに記載の配線器具の配設装置。
【発明の詳細な説明】
【技術分野】
【０００１】
本発明は、建築物の壁面や天井面等に設置されるコンセント等の配線器具の配設装置に関するものである。
【背景技術】
【０００２】
一般に、スイッチやコンセント等の配線器具は、それらの前面側を通過させた状態で保持可能な配線器具取付枠の保持孔に保持される。配線器具取付枠は、例えば正面長方形状をなし、上下方向へ縦長に配置したとき、その上下方向に複数の配線器具を保持する保持孔が複数箇所に形成されている。そして、配線器具には建築物の壁裏側に上下方向へ縦長に設置された配線用ボックス又は壁表側に設置された配線ダクト内に引き込まれたケーブル等に接続される。
【０００３】
そして、その配線器具取付枠を、配線器具の前面側が室内側へ臨むように配線用ボックスの開口面側に設置された壁又は配線ダクトに取付けて配線器具が壁面に設置される。さらに、その配線器具取付枠には、それらを覆うとともに、配線器具の前面側のみを室内側へ臨み込ませる通過孔を備えた化粧プレートが取付けられる。この化粧プレートは矩形状をなし、上下方向へ縦長に配置したとき、その上下方向に複数箇所に通過孔が位置している。
【０００４】
配線器具の前面側の寸法はＪＩＳ  Ｃ８３０４に示されるように、縦２２．７ｍｍ×横２８ｍｍの長方形状に規定されている。そのため、配線器具取付枠の保持孔は、配線器具取付枠を上下方向へ縦長に配置したとき、前記寸法に対応する正面横長長方形状に形成され、化粧プレートの通過孔は、化粧プレートを上下方向へ縦長に配置したとき、前記寸法に対応する正面横長長方形状に形成されている。
【発明の開示】
【発明が解決しようとする課題】
【０００５】
例えば水平方向へ延びる桟、あて木等に配線用ボックスを横方向へ横長に９０度回転させて設置した場合、配線器具取付枠も９０度回転して配線用ボックスに取付けられる。すると、その配線器具取付枠の保持孔に保持された配線器具、例えばコンセントも９０度回転して正面縦長長方形状に壁表側に設置されてしまうという問題があった。
【０００６】
また、図１２に示すように、ＴＶケーブルを接続するための接続部を前面側に備えるＴＶ用コンセント５４は、図１２の破線に示すように、その一方の短辺側に同軸ケーブル５５を接続する接続端子５６が設けられている。そのため、ＴＶ用コンセント５４をその前面側が正面横長長方形状をなすように配線器具取付枠５７に取付け、壁表側に設置すると、接続端子５６が配線ダクト内の同軸ケーブル５５の延びる方向に対し直角に位置してしまう。その結果、同軸ケーブル５５を折り曲げてＴＶ用コンセント５４の接続端子５６に接続しなければならず、その接続作業が困難であるという問題があった。
【０００７】
この発明は、このような従来技術に存在する問題点に着目してなされたものである。その目的とするところは、配線器具の設置向きを所望する方向へ変更することができ、その設置向きの変更に容易に対応することができる配線器具の配設装置を提供することにある。
【課題を解決するための手段】
【０００８】
上記の目的を達成するために、請求項１に記載の発明の配線器具の配設装置は、前面側が正面長方形状をなす配線器具の前面側が通過可能な大きさに設定されるとともに長方形状をなして前記配線器具を保持可能な第１保持孔と、前面側が正面長方形状をなす配線器具をその前面側の設置向きが正面縦長長方形状又は正面横長長方形状のどちらか一方に設置されるように配線器具の前面側の設置向きを９０度回転させて保持可能な第２保持孔とを備えた配線器具取付枠と、前記配線器具取付枠に取付けられる化粧プレートと
よりなる配線器具の配設装置であって、前記化粧プレートは、前記配線器具の設置部周縁を覆うとともに、前記配線器具の前面側が通過可能な第１通過孔及び第２通過孔を備えるプレート本体と、前記配線器具の前面側の外周縁に対応する長方形状をなすとともに同配線器具の前面側が臨み込む貫通孔を備え、その貫通孔の長さ方向が配線器具の前面側の設置向きと異なる場合、貫通孔の長さ方向が同配線器具の前面側の設置向きに対応するように９０度回転されてプレート本体の前記第２通過孔にそれぞれ対応して着脱可能に取付けられる枠体とよりなり、前記配線器具がその前面側の設置向きが９０度回転されて前記第２保持孔に保持された場合にも、前記第２通過孔は前記配線器具の前面側が通過可能である。
【０００９】
請求項２に記載の発明の配線器具の配設装置は、請求項１に記載の発明において、前記配線器具取付枠は、被設置体に設置され、内部に配線が配設される配線ダクトに取付けられる。
【００１０】
請求項３に記載の発明の配線器具の配設装置は、請求項１に記載の発明において、前記配線器具取付枠は、一面に開口を有する有底箱状をなし、被設置体に設置されて内部に配線が配設される配線用ボックスの開口側に取付けられる。
【００１１】
請求項４に記載の発明の配線器具の配設装置は、請求項１〜請求項３のいずれかに記載の発明において、前記プレート本体に取付けられた枠体の未使用の貫通孔を閉塞する閉塞蓋を、枠体に対して着脱可能に設けた。
【００１２】
請求項５に記載の発明の配線器具の配設装置は、請求項１〜請求項４のいずれかに記載の発明において、前記第２通過孔は正方形状に形成されている。
【発明の効果】
【００１３】
以上詳述したように、この発明によれば、次のような効果を奏する。
各請求項に記載の発明の配線器具の配設装置は、配線器具の設置向きを所望する方向へ変更することができ、その設置向きの変更に容易に対応することができる。また、配線器具の前面側を通過させてプレート本体の前面側に臨み込ませることができる。また、配線器具の設置向きを配線器具が使用しやすい方向へ変更することができる。また、室内側に臨む配線器具の個数を増加させて、多数の電気機器を接続可能にすることができる。
【００１４】
請求項２に記載の発明の配線器具の配設装置は、配線ダクトに対して配線器具の設置向きを所望する方向へ変更して取付けることができ、その設置向きの変更に容易に対応することができる。
【００１５】
請求項３に記載の発明の配線器具の配設装置は、配線用ボックスに対して配線器具の設置向きを所望する方向へ変更して取付けることができ、その設置向きの変更に容易に対応することができる。
【００１６】
請求項４に記載の発明の配設器具の配設装置は、貫通孔からその内部に埃等が侵入して堆積し、トラッキング現象を引き起こしたりするのを防止することができる。また、貫通孔内が見えるのを防止してその外観の低下を防止することができる。
【発明を実施するための最良の形態】
【００１７】
以下、この発明の実施形態を、図面に基づいて詳細に説明する。
（第１実施形態）
図１、図２及び図６に示すように、被設置体としての建築物の壁面の表側に設置される合成樹脂材料製の配線ダクト１１は、断面ほぼＥ字状をなす細長板状に形成され、一面が開口されている。その開口側には、開口を閉塞する蓋体１０が取付けられている。配線ダクト１１の長辺側の両側縁部には内外方へ突出する凸条１２が配線ダクト１１の長さ方向に沿って形成され、各凸条１２と配線ダクト１１の各側縁部との間に凹条１３が形成されている。また、配線ダクト１１の一側縁側の底面には内方へ突出する一対の突出片１４が配線ダクト１１の長さ方向に沿って形成され、それらの間に固定溝１５が形成されている。
【００１８】
そして、上記構成の配線ダクト１１の底面から建築物の壁面にビス１１ａを打ち込んで配線ダクト１１が壁面の上下、左右又は斜め方向へ延びて取付けられる。さらに、図１の破線に示すように、その配線ダクト１１内にケーブル１６、同軸ケーブル１７等の配線が配設されるようになっている。また、ケーブル１６には配線器具としてのコンセント１８が、同軸ケーブル１７には配線器具としてのＴＶ用コンセント１９が接続される。
【００１９】
前記コンセント１８、ＴＶ用コンセント１９は、室内側に臨む前面側の寸法がＪＩＳ  Ｃ８３０４に示されるように、縦２２．７ｍｍ×横２８ｍｍの長方形状に規定されている。また、図８に示すように、それらの両短辺側において前面側より奥方には一対の係止凸部２０がそれぞれ形成されている。コンセント１８の前面側にはプラグの差込口１８ａが形成され、ＴＶ用コンセント１９の前面側にはＴＶケーブルを接続するための接続部２１が形成されている。また、図５に示すように、ＴＶ用コンセント１９は、その一方の短辺側に同軸ケーブル１７を接続する接続端子２２が設けられている。
【００２０】
図２に示すように、配線ダクト１１に取付けられる合成樹脂材料製の配線器具取付枠２３は正面長方形状をなす底壁２４と、その両短辺側から外方へ拡がって延びる一対の短側壁２５と、底壁２４の両長辺側から外方へ延びるとともに、両短側壁２５間に挟まれた台形状の長側壁２６とから、一面が開口して形成されている。
【００２１】
配線器具取付枠２３の底壁２４において、その一方の長辺側には一対の第１保持孔２７が形成され、それらは底壁２４の両短辺方向へ横長に延びる長方形状に形成されるとともに、コンセント１８又はＴＶ用コンセント１９の前面側が通過可能な大きさに設定されている。底壁２４の他方の長辺側には一対の第２保持孔２８がほぼ十字状に形成されている。この両第２保持孔２８はコンセント１８又はＴＶ用コンセント１９の前面側を、正面縦長長方形状又は正面横長長方形状のいずれか一方の設置向きで通過可能に設定されている。
【００２２】
各第１保持孔２７の周縁部において、底壁２４の一方の短辺側には一対の係止孔２９がそれぞれ形成され、他方の短辺側には嵌合孔３０がそれぞれ形成されている。各第２保持孔２８の周縁部において、底壁２４の一方の短辺側及び他方の長辺側には一対の係止孔２９がそれぞれ形成され、他方の短辺側及び一方の長辺側には嵌合孔３０がそれぞれ形成されている。
【００２３】
そして、第１保持孔２７において、コンセント１８又はＴＶ用コンセント１９の一方の係止凸部２０を、底壁２４の内面側から係止孔２９に係止させ、他方の係止凸部２０を嵌合孔３０に嵌合する。その結果、コンセント１８又はＴＶ用コンセント１９を、その前面側が第１保持孔２７から臨み込むとともに、底壁２４の両短辺方向へ横長に延びる長方形状に配線器具取付枠２３に保持することができるようになっている。また、第２保持孔２８においては、第１保持孔２７と同様の方法により、コンセント１８又はＴＶ用コンセント１９を、それらの前面側が第２保持孔２８から臨み込むとともに、底壁２４の両短辺方向又は両長辺方向へ長く延びる長方形状に保持することができるようになっている。つまり、第２保持孔２８にその設置向きを９０度回転させて保持することができるようになっている。
【００２４】
図６に示すように、両長側壁２６の先端縁には内方へ突出する突片３１が、長側壁２６の長さ方向へ２箇所にそれぞれ形成されている。そして、蓋体１０に形成された開口から配線器具取付枠２３の各突片３１を配線ダクト１１の両側縁部の凹条１３にそれぞれ係止させることにより、コンセント１８及びＴＶ用コンセント１９を保持した配線器具取付枠２３を配線ダクト１１に取付けることができるようになっている。
【００２５】
図２に示すように、配線器具取付枠２３の底壁２４の両長辺側には、それらに沿って３箇所に係合孔３２が形成されている。また、底壁２４の中央の一方の長辺側には透孔３３が形成されている。そして、図２及び図６に示すように、配線ダクト１１に取付けられた配線器具取付枠２３の透孔３３から配線ダクト１１の固定溝１５に取付ビス１５ａをねじ込むことにより、配線器具取付枠２３を配線ダクト１１に移動不能に固定することができるようになっている。
【００２６】
図２に示すように、配線器具取付枠２３の底壁２４の外面側に取付けられ、配線器具取付枠２３を介して配線ダクト１１に設置されるプレート本体３４は、合成樹脂板により横長長方形状に形成され、その大きさは前記配線器具取付枠２３の底壁２４の大きさとほぼ対応している。プレート本体３４の一方の長辺側には、プレート本体３４の両短辺方向へ横長に延びる長方形状の第１通過孔３５が２箇所に形成され、その大きさは２２．７ｍｍ×２８ｍｍに設定されている。他方の長辺側には正方形状の第２通過孔３６が２箇所に形成されている。そして、第１通過孔３５，第２通過孔３６は配線器具取付枠２３に保持されたコンセント１８又はＴＶ用コンセント１９等の配線器具の前面側が通過可能になっている。図２及び図４に示すように、プレート本体３４の裏面側の両長辺側には、それらに沿って３箇所に係合爪３７が突設されている。
【００２７】
また、プレート本体３４には前記第１通過孔３５にそれぞれ対応して、それらの開口を閉塞する閉塞蓋３８が着脱可能に取付けられる。この閉塞蓋３８は合成樹脂材料により長方形状に形成され、その大きさは第１通過孔３５に対応している。図２及び図３に示すように、閉塞蓋３８の裏面側の両短辺側には、爪３８ａがそれぞれ形成されている。そして、その爪３８ａを第１通過孔３５の裏面側のプレート本体３４に係止させることにより、閉塞蓋３８をプレート本体３４に取付けて、未使用の第１通過孔３５を閉塞することができるようになっている。
【００２８】
さらに、プレート本体３４には前記第２通過孔３６に対応して、合成樹脂板製の枠体３９が着脱可能に取付けられる。この枠体３９は正方形状をなし、その中央には２２．７ｍｍ×２８ｍｍの大きさの長方形状をなす貫通孔４０が形成され、その内周縁の長さはコンセント１８又はＴＶ用コンセント１９の前面側の外周縁の長さに対応している。枠体３９の裏面側の相対向する一対の側辺には、爪３９ａがそれぞれ突設されている。
【００２９】
そして、貫通孔４０の長さ方向が配線器具取付枠２３に保持されたコンセント１８又はＴＶ用コンセント１９の前面側の設置向きと異なる場合、貫通孔４０の長さ方向に対応するように枠体３９を９０度回転させ、その爪３９ａを第２通過孔３６の裏面側のプレート本体３４に係止させることにより、枠体３９をプレート本体３４に取付けることができるようになっている。
【００３０】
その結果、プレート本体３４と枠体３９とにより化粧プレート４１が構成される。さらに、プレート本体３４の係合爪３７を配線器具取付枠２３の係合孔３２に係合することにより、化粧プレート４１を配線器具取付枠２３に取付けることができ、配線ダクト１１の配線器具の配設装置４２が構成される。
【００３１】
配線ダクト１１の配線器具の配設装置４２の使用方法を以下に記載する。
まず、図１に示すように、建築物の壁面の表側において、配線ダクト１１の底面から壁面にビス１１ａを打ち込んで配線ダクト１１を壁面の左右方向へ延びるように取付ける。図１の破線に示すように、その配線ダクト１１内にケーブル１６及び同軸ケーブル１７を配線ダクト１１の長さ方向に沿って配設する。そのケーブル１６をコンセント１８に接続し、同軸ケーブル１７をＴＶ用コンセント１９の接続端子２２に接続する。
【００３２】
図２に示すように、配線器具取付枠２３をその長辺側が壁面の左右方向へ延びるように配置する。その一方の第２保持孔２８にコンセント１８をその前面側が第２保持孔２８から臨み込むように配線器具取付枠２３の裏面側から嵌め込み、正面横長長方形状に配線器具取付枠２３に保持させる。同様に、他方の第２保持孔２８に、ＴＶ用コンセント１９をその前面側が第２保持孔２８から臨み込むように配線器具取付枠２３の裏面側から嵌め込み、正面縦長長方形状に配線器具取付枠２３に保持させる。
【００３３】
両第２保持孔２８はほぼ十字状をなしているため、コンセント１８又はＴＶ用コンセント１９の前面側が正面縦長長方形状又は正面横長長方形状に保持される。また、図６及び図７の破線に示すように、ＴＶ用コンセント１９の接続端子２２は同軸ケーブル１７の延びる方向上に位置するため、同軸ケーブル１７を折り曲げずにＴＶ用コンセント１９の接続端子２２に接続される。
【００３４】
続いて、配線器具取付枠２３の両長側壁２６の突片３１を、蓋体１０に形成された開口部から配線ダクト１１の凹条１３に係止させ、配線器具取付枠２３を配線ダクト１１に取付ける。さらに、透孔３３から配線ダクト１１の固定溝１５に取付ビス１５ａをねじ込んで配線器具取付枠２３が配線ダクト１１に移動不能に固定される。図７に示すように、この状態において、コンセント１８は設置向きが正面横長長方形状に、ＴＶ用コンセント１９は設置向きが正面縦長長方形状に配線ダクト１１に取付けられ、その配線ダクト１１を介して壁面に取付けられる。
【００３５】
次いで、図２に示すように、プレート本体３４を長辺側が壁面の左右方向へ延びるように配置する。一方の第２通過孔３６に対して、枠体３９をその貫通孔４０が正面横長長方形状をなすようにプレート本体３４に取付ける。他方の第２通過孔３６に対して、枠体３９をその貫通孔４０が正面縦長長方形状をなすようにプレート本体３４に取付ける。その結果、化粧プレート４１が構成され、他方の第２通過孔３６に取付られた枠体３９は、一方の第２通過孔３６に取付られた枠体３９に対して９０度回転している。
【００３６】
このとき、一対の第２通過孔３６は正方形状に形成され、枠体３９も第２通過孔３６に対応して正方形状に形成されている。そのため、枠体３９は９０度回転させても第２通過孔３６に対応してプレート本体３４に取付けられる。
【００３７】
続いて、プレート本体３４の係合爪３７を配線器具取付枠２３の底壁２４の係合孔３２に係合して化粧プレート４１を配線器具取付枠２３に取付ける。すると、図１及び図７に示すように、一方の枠体３９の貫通孔４０にコンセント１８の前面側が臨み込み、他方の枠体３９の貫通孔４０にＴＶ用コンセント１９の前面側が臨み込むとともに、コンセント１８及びＴＶ用コンセント１９の設置部周縁がプレート本体３４により覆われ、配線器具取付枠２３の底壁２４が覆われる。その結果、コンセント１８の前面側が正面横長長方形状に、ＴＶ用コンセント１９の前面側が正面縦長長方形状に壁面の表側に臨み込んで建築物の壁面に設置される。
【００３８】
さらに、プレート本体３４の第１通過孔３５は未使用のため、閉塞蓋３８が第１通過孔３５を閉塞してプレート本体３４に取付けられる。
前記の実施形態によって発揮される効果について、以下に記載する。
【００３９】
・  第２通過孔３６に対応して、枠体３９がプレート本体３４に着脱可能に取付けられ、その枠体３９にはコンセント１８又はＴＶ用コンセント１９の前面側の寸法に対応する貫通孔４０が形成されている。そして、枠体３９をその貫通孔４０がコンセント１８又はＴＶ用コンセント１９の前面側の設置向きに対応するように回転させるとともに、第２通過孔３６に対応させてプレート本体３４に取付けて化粧プレート４１を構成することができる。従って、化粧プレート４１をコンセント１８又はＴＶ用コンセント１９の前面側の設置向きに対応させて取付けることができる。
【００４０】
・  プレート本体３４の第２通過孔３６は正方形状に形成され、枠体３９も第２通過孔３６の大きさに対応して正方形状に形成されている。そのため、枠体３９を９０度回転させても第２通過孔３６に対応してプレート本体３４に取付けることができ、枠体３９の貫通孔４０をコンセント１８又はＴＶ用コンセント１９の前面側の設置向きに容易に対応させることができる。
【００４１】
・  未使用の第１通過孔３５を閉塞する閉塞蓋３８がプレート本体３４に取付られる。そのため、第１通過孔３５から配線ダクト１１内に埃等が侵入して堆積し、トラッキング現象を引き起こしたりするのを防止することができる。また、第１通過孔３５から配線ダクト１１内が見えるのを防止してその外観の低下を防止することができる。
【００４２】
・  プレート本体３４には第２通過孔３６が２箇所に形成されている。そのため、コンセント１８とＴＶ用コンセント１９の２種類をその設置向きを変更して取付けることができるとともに、化粧プレート４１の使用範囲を拡大できる。
【００４３】
・  配線器具取付枠２３には、コンセント１８又はＴＶ用コンセント１９の前面側を正面縦長長方形状又は正面横長長方形状に保持可能な第２保持孔２８が形成されている。そのため、コンセント１８又はＴＶ用コンセント１９の前面側を所望する設置向きで保持させることができる。加えて、配線器具がＴＶ用コンセント１９の場合、それをその接続端子２２が同軸ケーブル１７の延びる方向上に位置するように正面縦長長方形状に保持することができる。従って、同軸ケーブル１７を折り曲げずにＴＶ用コンセント１９の接続端子２２に接続することができ、その作業を容易に行うことができる。
【００４４】
・  プレート本体３４の裏面側の両長辺側には、それらに沿って３箇所に係合爪３７が突設され、配線器具取付枠２３には係合爪３７に対応して係合孔３２が形成されている。そのため、化粧プレート４１の配線器具取付枠２３に対する着脱作業を容易に行うことができる。また、閉塞蓋３８の裏面には爪３８ａが形成され、枠体３９の裏面にも爪３９ａが突設され、それらにより閉塞蓋３８及び枠体３９をプレート本体３４に容易に取付けることができる。また、それらは合成樹脂材料製であるため、容易に撓んで閉塞蓋３８及び枠体３９を第１通過孔３５から容易に取り外すことができる。
【００４５】
・  配線器具取付枠２３を配線ダクト１１に取付け、配線器具取付枠２３に化粧プレート４１を取付けることにより、配線ダクト１１の配線器具の配設装置４２を構成することができる。従って、配線ダクト１１に取付けられるコンセント１８又はＴＶ用コンセント１９の前面側の設置向きを容易に変更することができ、その設置向きの変更に容易に対応することができる。
【００４６】
（第２実施形態）
第２実施形態は、上記第１実施形態と異なる点について主に説明する。
図８に示すように、合成樹脂製の配線用ボックス４３は、正面長方形状をなす開口を有する有底四角箱状のボックス本体４４に取付部４５が一体形成されて構成されている。上記ボックス本体４４は相対向する一対の短壁４４ａ及び相対向する一対の長壁４４ｂと、それらの一端側を閉塞する底板４４ｃとにより一面が開口されて構成されている。前記一対の短壁４４ａには、配線貫通部４６が形成され、ケーブル１６及び同軸ケーブル１７は配線貫通部４６に貫通して配設される。
【００４７】
前記取付部４５は所定厚さを有し、その取付部４５には取付孔４７が所定間隔をおいて形成されている。そして、建築物を構築するための柱４８に対して、取付孔４７からねじ４９をねじ込むことにより、配線用ボックス４３を被設置体としての柱４８に取り付けることができるようになっている。
【００４８】
ボックス本体４４の底板４４ｃ上において、一対の短壁４４ａの内面位置には円筒状をなす配線器具取付筒５０が、その先端部が開口に臨むように形成され、その中央には挿通孔５１が形成されている。そして、配線器具取付枠２３から固定ビス２３ａを挿通孔５１にねじ込むことによりボックス本体４４に配線器具取付枠２３を取付けることができるようになっている。
【００４９】
合成樹脂板製の配線器具取付枠２３は矩形板状に形成され、その長さ方向の両端にはビス孔５２が形成されている。また、第２保持孔２８が配線器具取付枠２３の長さ方向へ２箇所に形成されている。それらはほぼ十字状に形成され、コンセント１８又はＴＶ用コンセント１９の前面側を、正面縦長長方形状又は正面横長長方形状のいずれか一方の設置向きで通過可能に設定されている。そして、コンセント１８又はＴＶ用コンセント１９を第２保持孔２８にその設置向きを９０度回転させて保持することができる。
【００５０】
合成樹脂板製のプレート本体３４は矩形板状に形成され、その大きさは前記配線器具取付枠２３の大きさとほぼ対応している。プレート本体３４には、正方形状の第２通過孔３６がプレート本体３４の長さ方向へ２箇所に形成されている。そして、各第２通過孔３６はコンセント１８又はＴＶ用コンセント１９の前面側が通過可能になっている。第２通過孔３６に対応して、第１実施形態と同様の構成の枠体３９が貫通孔４０の向きをコンセント１８又はＴＶ用コンセント１９の前面側の設置向きに対応するように９０度回転させてプレート本体３４に取付けることができる。
【００５１】
さて、第２実施形態の化粧プレート４１の使用の際には、まず、取付孔４７において、ねじ４９を使用して柱４８に取付部４５を介して配線用ボックス４３を取り付ける。その配線用ボックス４３の一対の配線貫通部４６にケーブル１６と同軸ケーブル１７をそれぞれ貫通配設し、ケーブル１６にコンセント１８を接続し、同軸ケーブル１７にＴＶ用コンセント１９を接続する。次いで、配線用ボックス４３の開口側に図示されない壁が設置され、その壁には、配線用ボックス４３の位置に対応する孔が形成される。
【００５２】
次に、配線器具取付枠２３をその長辺側が上下方向へ延びるとともに、前記孔を塞ぐように壁表側に配置する。配線器具取付枠２３の一方の第２保持孔２８に、コンセント１８をその前面側が第２保持孔２８から臨むように配線器具取付枠２３の裏面側から嵌め込み、正面横長長方形状に保持させる。他方の第２保持孔２８に、ＴＶ用コンセント１９をその前面側が第２保持孔２８から臨むように配線器具取付枠２３の裏面側から嵌め込み、正面縦長長方形状に保持させる。
【００５３】
続いて、配線器具取付枠２３のビス孔５２から固定ビス２３ａを挿通孔５１にねじ込んで、配線用ボックス４３に壁を介して配線器具取付枠２３を取付ける。図９に示すように、この状態において、コンセント１８は設置向きが正面横長長方形状に、ＴＶ用コンセント１９は設置向きが正面縦長長方形状に配線用ボックス４３に取り付けられる。
【００５４】
次いで、プレート本体３４を長辺側が上下方向へ延びるように配置する。一方の第２通過孔３６に対して、枠体３９をその貫通孔４０が正面横長長方形状をなすようにプレート本体３４に取付け、他方の第２通過孔３６に対して、枠体３９をその貫通孔４０が正面縦長長方形状をなすようにプレート本体３４に取付ける。これにより、化粧プレート４１が構成される。
【００５５】
続いて、プレート本体３４の係合爪３７を配線器具取付枠２３の底板４４ｃの係合孔３２に係合して化粧プレート４１を配線器具取付枠２３に取付ける。すると、一方の枠体３９の貫通孔４０にコンセント１８の前面側が臨み込み、他方の枠体３９の貫通孔４０にＴＶ用コンセント１９の前面側が臨み込むとともに、コンセント１８及びＴＶ用コンセント１９の設置部周縁がプレート本体３４により覆われ、配線器具取付枠２３の底板４４ｃが覆われる。その結果、図９に示すように、コンセント１８の前面側が正面横長長方形状に、ＴＶ用コンセント１９の前面側が正面縦長長方形状に室内側に臨み込んで設置されて、配線用ボックス４３に配線器具の配設装置４２が取付けられる。
【００５６】
従って、第２実施形態の化粧プレート４１を使用した場合も、コンセント１８及びＴＶ用コンセント１９の設置向きに対応することができるとともに、配線用ボックス４３の開口を覆うことができる。
【００５７】
なお、本実施形態は、次のように変更して具体化することも可能である。
・  図１０に示すように、第１実施形態の配線器具取付枠２３の両第１保持孔２７にコンセント１８をそれぞれ保持させ、両第２保持孔２８にＴＶ用コンセント１９を正面縦長長方形状にそれぞれ保持させる。そして、枠体３９の貫通孔４０をＴＶ用コンセント１９の設置向きに対応させて、第２通過孔３６に枠体３９をそれぞれ取付けても良い。又は両第２保持孔２８にコンセント１８を正面横長長方形状にそれぞれ保持させても良い。
【００５８】
このように構成した場合、室内側に臨む配線器具の個数を増加させて、多数の電気機器を接続を可能にすることができる。
・  第１実施形態の配線器具取付枠２３のどちらか一方の第１保持孔２７のみに配線器具を保持させ、他方の第１保持孔２７を閉塞蓋３８により閉塞する。両第２保持孔２８に配線器具をそれぞれ正面横長長方形状、正面縦長長方形状又は一方を正面横長長方形状に他方を正面縦長長方形状にそれぞれ保持させても良い。そして、枠体３９をその貫通孔４０を配線器具の設置向きに対応させて、第２通過孔３６に対応させてプレート本体３４に取付けても良い。このように構成した場合も、配線器具を所望する設置向きに設置することができ、それらを使用しやすくすることができる。
【００５９】
・  第１実施形態の配線器具取付枠２３の第１保持孔２７の少なくとも一方を正面十字状に形成し、コンセント１８又はＴＶ用コンセント１９の前面側を、正面縦長長方形状又は正面横長長方形状のいずれか一方の設置向きで通過可能に設定する。プレート本体３４の第１通過孔３５の少なくとも一方を第１保持孔２７に対応させて正方形状に形成し、その第１通過孔３５に対応して枠体３９をプレート本体３４に取付可能に形成しても良い。このように構成した場合、第１保持孔２７に配線器具を設置向きを変更して保持させ、その設置向きに対応して化粧プレート４１を配線器具取付枠２３に取付けることができる。
【００６０】
・  第１実施形態の配線器具取付枠２３に第２保持孔２８のみを１箇所に形成し、その第２保持孔２８に対応させてプレート本体３４に第２通過孔３６を１箇所に形成しても良い。このように構成した場合、配線器具取付枠２３の構成を簡易化して、その製造を容易に行うことができる。
【００６１】
・  第１実施形態において、配線ダクト１１を上下方向へ延びるように壁面の表側に取付け、例えばコンセント１８を第２保持孔２８に正面横長長方形状に保持させ、ＴＶ用コンセント１９を第１保持孔２７に正面縦長長方形状に保持させる。そして、枠体３９をその貫通孔４０をコンセント１８の設置向きに対応させて、プレート本体３４に取付けても良い。このように構成した場合も、配線ダクト１１の設置向きに対応させて配線器具の設置向きを変更することができる。
【００６２】
・  第２実施形態の配線器具取付枠２３の両第２保持孔２８に配線器具を正面横長長方形状又は正面縦長長方形状にそれぞれ保持させても良い。そして、枠体３９をその貫通孔４０を配線器具の設置向きに対応させてプレート本体３４に取付けても良い。このように構成した場合も、配線器具を好ましい設置向きに設置することができ、それらを使用しやすくすることができる。
【００６３】
・  図１１に示すように、第２実施形態の配線器具取付枠２３に第２保持孔２８を１箇所又は３箇所以上形成し、プレート本体３４に第２保持孔２８に対応して第２通過孔３６を１箇所又は３箇所以上形成しても良い。このように構成した場合、必要とされる配線器具の個数に容易に対応することができる。
【００６４】
・  第２実施形態の配線器具取付枠２３において、一方の第２保持孔２８を第１保持孔２７に変更しても良い。このように構成した場合も、配線器具を好ましい設置向きに設置することができ、それらを使用しやすくすることができる。
【００６５】
・  図１１に示すように、横方向へ延びる桟５３に第２実施形態の配線用ボックス４３を横方向へ延びて取付け、その配線用ボックス４３に配線器具取付枠２３を介して配線器具を正面横長長方形状に設置する。このとき、配線器具取付枠２３の第２保持孔２８に配線器具を正面横長長方形状又は正面縦長長方形状にそれぞれ保持させても良い。そして、枠体３９をその貫通孔４０を配線器具の設置向きに対応させて、プレート本体３４にそれぞれ取付けても良い。このように構成した場合も、配線器具を好ましい設置向きに設置することができ、それらを使用しやすくすることができる。
【００６６】
・  各実施形態の配線器具取付枠２３において、第１通過孔３５及び第２通過孔３６を省略し、第２保持孔２８を円形状に形成し、配線器具をその設置向きを３６０度変更して保持可能に構成する。プレート本体３４において、枠体３９を円形状に形成して、枠体３９をその貫通孔４０を３６０度回転可能にプレート本体３４に取付ける。そして、配線器具の設置向きに貫通孔４０を対応させて枠体３９をプレート本体３４を回転させても良い。又は第２保持孔２８、第２通過孔３６及び枠体３９を正面三角形状、正面五角形状、正面六角形状、八角形状等に変更しても良い。このように構成した場合、配線器具の設置向きに確実に対応することができる。
【００６７】
・  各実施形態において、枠体３９の未使用の貫通孔４０を閉塞するようにプレート本体３４に閉塞蓋３８を取付けても良い。
・  配線器具としてスイッチ、電話のモジュラージャック等に変更しても良い。
【００６８】
・  各実施形態において、配線器具取付枠２３、プレート本体３４、閉塞蓋３８及び枠体３９の少なくとも１つを金属材料等に変更しても良い。
・  第１実施形態において、配線器具取付枠２３の底壁２４に挿通孔５１を形成し、プレート本体３４から挿通孔５１に固定ビス２３ａを挿通してプレート本体３４を配線器具取付枠２３に取付けても良い。
【００６９】
・  各実施形態において、枠体３９に、コンセント１８又はＴＶ用コンセント１９の前面側が貫通孔４０に臨み込んだ状態で保持する保持手段を設け、配線器具取付枠２３を省略する。そして、コンセント１８又はＴＶ用コンセント１９の前面側が貫通孔４０に保持された枠体３９を、その設置向きを変更してプレート本体３４に取付けても良い。
【００７０】
・  各実施形態において、プレート本体３４に、コンセント１８又はＴＶ用コンセント１９の前面側が第２通過孔３６に臨み込んだ状態で保持する保持手段を設け、配線器具取付枠２３を省略する。そして、コンセント１８又はＴＶ用コンセント１９を、その前面側の設置向きを変更して第２通過孔３６に保持させ、その設置向きに対応させて枠体３９をプレート本体３４に取付けても良い。
【００７１】
さらに、前記実施形態より把握できる技術的思想について以下に記載する。
・  前記第１通過孔を閉塞する閉塞蓋を第１通過孔に対応してプレート本体に着脱可能に設けた。
【００７２】
このように構成した場合、第１通過孔からその内部に埃等が侵入するのを防止することができる。
・  前記第２通過孔は正方形状に形成され、枠体は第２通過孔に対応する平面正方形状に形成されている。
【００７３】
このように構成した場合、枠体を９０度回転させても第２通過孔に対応してプレート本体に取付けることができる。
【図面の簡単な説明】
【００７４】
【図１】第１実施形態の配線器具の配設装置を示す斜視図。
【図２】第１実施形態の配線器具の配設装置を示す分解斜視図。
【図３】枠体を示す図２の３−３線断面図。
【図４】プレート本体を示す図２の４−４線断面図。
【図５】ＴＶ用コンセントを示す斜視図。
【図６】配線器具の配設装置を示す側断面図。
【図７】第１実施形態の配線器具の配設装置を示す正面図。
【図８】第２実施形態の配線器具の配設装置を示す分解斜視図。
【図９】第２実施形態の配線器具の配設装置を示す正面図。
【図１０】第１実施形態の配線器具の配設装置の別例を示す正面図。
【図１１】第２実施形態の配線器具の配設装置の別例を示す正面図。
【図１２】従来の配線器具と同軸ケーブルとの接続状態を示す正面図。
【符号の説明】
【００７５】
１１…配線ダクト、１６…配線としてのケーブル、１７…配線としての同軸ケーブル、１８…配線器具としてのコンセント、１９…配線器具としてのＴＶ用コンセント、２３…配線器具取付枠、２７…第１保持孔、２８…第２保持孔、３４…プレート本体、３５…第１通過孔、３６…第２通過孔、３８…閉塞蓋、３９…枠体、４０…貫通孔、４１…化粧プレート、４２…配設装置、４３…配線用ボックス、４８…被設置体としての柱。
【図１】
2004289999.tif 000003
【図２】
2004289999.tif 000004
【図３】
2004289999.tif 000005
【図４】
2004289999.tif 000006
【図５】
2004289999.tif 000007
【図６】
2004289999.tif 000008
【図７】
2004289999.tif 000009
【図８】
2004289999.tif 000010
【図９】
2004289999.tif 000011
【図１０】
2004289999.tif 000012
【図１１】
2004289999.tif 000013
【図１２】
2004289999.tif 000014